(57)【要約】      （修正有）【課題】ユーザ自身が簡単にデザインを変更でき、多様なファッションを楽しむことのできるズボンを提供する。【解決手段】ユーザの左足が挿入される左側のズボン部分１Ｌと、ユーザの右足が挿入される右側のズボン部分１Ｒと、左右のズボン部分１Ｌ，１Ｒを着脱可能に連結するファスナー３を備えたズボン１。【選択図】図１
0003140540.tif 000002
【実用新案登録請求の範囲】
【請求項１】
複数のズボン部分に分割され、隣り合うズボン部分が連結手段によって着脱可能に連結されていることを特徴とするズボン。
【考案の詳細な説明】
【技術分野】
【０００１】
本考案は、ズボンに関するものである。
【背景技術】
【０００２】
従来より多種多様なデザインのズボンが市場に出回っているが、従来のズボンは、そのデザインが画一的に定まっていたため、ユーザが或るデザインのズボンを購入した後は、そのデザインを大きく変更することは困難であった。或るデザインのズボンを入手した後も、ユーザの好みに応じて、そのデザインを簡単に変化させることができれば、ユーザはより一層多様なファッションを楽しむことができるのであるが、従来のズボンでは、このような要求を満たすことはできなかった。
【考案の開示】
【考案が解決しようとする課題】
【０００３】
本考案の目的は、上述した新規な認識に基づきなされたものであって、その目的とするところは、ユーザ自身が簡単にデザインを変更することの可能なズボンを提供することにある。
【課題を解決するための手段】
【０００４】
本考案は、上記目的を達成するため、複数のズボン部分に分割され、隣り合うズボン部分が連結手段によって着脱可能に連結されていることを特徴とするズボンを提案する。
【考案の効果】
【０００５】
本考案によれば、ズボンが複数のズボン部分から構成され、隣り合うズボン部分が着脱可能に連結されているので、ユーザの好みのズボン部分を組み合わせて連結することにより、従来よりも一層多様性に富んだデザインのズボンを低コストで構成することができる。
【考案を実施するための最良の形態】
【０００６】
以下、本考案の実施形態例を図面に従って詳細に説明する。
【０００７】
図１は本考案に係るズボンの一例を示す正面図である。ここに示したズボン１は、図示していないユーザがこのズボン１を穿いたとき、ユーザの左足が挿入される左側のズボン部分１Ｌと、当該ユーザの右足が挿入される右側のズボン部分１Ｒと、左側と右側のズボン部分１Ｌ，１Ｒを着脱可能に連結する連結手段２とを有している。図２は、左側のズボン部分１Ｌと、右側のズボン部分１Ｒを分離したときのズボン１の正面図である。
【０００８】
図１及び図２に示すように、本例のズボン１においては、その連結手段２がファスナー３により構成されている。このファスナー３は、それ自体周知のように、左側のズボン部分１Ｌと右側のズボン部分１Ｒの合せ部に沿って、ここに縫い付けられた帯状の布テープ４Ｌ，Ｒと、その各布テープ４Ｌ，４Ｒに固定され、かつ当該布テープ４Ｌ，４Ｒに沿って配列された多数の係合片５Ｌ，５Ｒと、その両係合片５Ｌ，５Ｒに係合しながらスライドし、両係合片５Ｌ，５Ｒを噛み合わせてこれらを連結し、又はその連結を解除するスライダー６とから構成されている。図１及び図２には、係合片５Ｌ，５Ｒを簡略化して示してある。
【０００９】
図１に示した状態では、左側のズボン部分１Ｌと右側のズボン部分１Ｒの係合片５Ｌ、５Ｒは互いに噛み合っていて、両ズボン部分１Ｌ，１Ｒは互いに一体に連結されている。ユーザは、この状態で、従来のズボンと同様に、スライダー６のつまみ６Ａを掴んで、これを矢印Ａで示すように下方に下げて、ズボン１を穿き、又は脱ぐことができる。このように、図１に示したズボン１を、従来のズボンと同じようにして使用することができる。
【００１０】
これに対し、図１に示したスライダー６のつまみ６Ａを掴んで、当該スライダー６を図１に矢印Ａで示すように下方にスライドさせ、さらにズボン１の後部側にて上方に向けてスライドさせ、当該スライダー６を、左右のズボン部分１Ｌ，１Ｒの合せ部全長に亘ってスライドさせる。これにより、左側のズボン部分１Ｌの係合片５Ｌと、右側のズボン部分１Ｒの係合片５Ｒは、その全体に亘って噛み合いが外れるので、左右のズボン部分１Ｌ，１Ｒを図２に示すように互いに分離することができる。このとき、スライダー６は一方の係合片５Ｌから離れているが、他方の係合片５Ｒには係合したままである。
【００１１】
再び、一方の係合片５Ｌをスライダー６に係合させて、そのスライダー６を図２に矢印Ｂで示した方向にスライドさせることにより、左右の係合片５Ｌ，５Ｒを互いに噛み合わせ、左側のズボン部分１Ｌと右側のズボン部分１Ｒを図１に示したように一体に連結することができる。
【００１２】
ここで、ユーザは、色、柄、形態などのデザインが互いに異なる何種類かのズボン部分１Ｌ，１Ｒを用意しておく。そして、そのときの好みなどに応じて、左右のズボン部分１Ｌ，１Ｒを選択し、これらを図１に示す如く一体に連結してズボン１を構成することができる。このように、ユーザは、何種類かのズボン部分１Ｌ，１Ｒを予め用意しておくだけで、多種多様なデザインのズボン１を構成することができる。ユーザ自身が簡単にズボン１のデザインを変更し、多様なファッションを楽しむことができるのである。
【００１３】
また、図１に示したズボン１は、ユーザの左足を覆う左側のズボン部分１Ｌと、右足を覆う右側のズボン部分１Ｒに分割され、これらのズボン部分１Ｌ，１Ｒの合せ部をファスナー３によって連結するように構成されているので、ユーザがズボン１を穿いたまま、スライダー６を図１に示した位置から大きくスライドさせて、両ズボン部分１Ｌ，１Ｒの合せ部を大きく開くことができる。これにより、男性が楽に小用を足すことができる。また、被介護人がこのズボン１を穿いた場合には、尿瓶などを用いて楽に被介護人の下の世話をすることが可能である。
【００１４】
図１及び図２に示したズボン１は、左側のズボン部分１Ｌと、右側のズボン部分１Ｒとに分割されているが、ズボンを他の形態に分割することもできる。例えば、図３に示すように、ズボン１の左右の部分の下部７，８をその各上部９，１０に対して分割し、隣り合う上部９，１０と下部７，８をそれぞれファスナー１１，１２によって着脱可能に連結することもできる。この場合も、デザインの異なる何種類かの下部７，８を用意しておけば、ユーザは自らの好みにあった下部７，８を選択し、これらをその上部９，１０に連結することができる。これによっても、ユーザは多様なファッションを楽しむことができる。また、下部７，８を上部９，１０から分離し、上部だけを半ズボンとして利用することもできる。このように、本例のズボン１も、複数のズボン部分に分割され、隣り合うズボン部分が連結手段によって着脱可能に連結されている。
【００１５】
図示した例では、連結手段としてファスナーを用いたが、ボタン、ホックなどの他の適宜な連結手段を用いることもできる。また、本考案は、ジーンズパンツ（所謂ジーパン）や、その他の各種形式のズボンに広く適用できるものである。
【図面の簡単な説明】
【００１６】
【図１】第１の例のズボンを示す正面図である。
【図２】図１に示したズボンの左側のズボン部分と右側のズボン部分を分離したときの正面図である。
【図３】第２の例のズボンの正面図である。
【符号の説明】
【００１７】
１  ズボン
１Ｌ，１Ｒ  ズボン部分
【図１】
0003140540.tif 000003
【図２】
0003140540.tif 000004
【図３】
0003140540.tif 000005